【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
処理されるシートを積載するシート積載手段を備え、前記シート積載手段に搬送されたシートを整合してシート束を形成するシート処理装置において、
前記シート積載手段のシート搬送方向と直交する幅方向側に設けられ、前記シートの幅方向端部の位置を規制する側端規制部材と、
シート面に当接して前記シートを前記幅方向に移動させ、前記側端規制部材に当接させる移動手段と、
を備えたことを特徴とするシート処理装置。
【請求項２】
前記側端規制部材に当接した前記シートを保持する保持手段を備え、
前記移動手段は、前記側端規制部材に当接したシートが前記保持手段により保持された状態で、前記シート積載手段にシートが搬送される毎に該シートを前記幅方向に移動させ、前記側端規制部材に当接させることを特徴とする請求項１記載のシート処理装置。
【請求項３】
処理されるシートを積載するシート積載手段を備え、前記シート積載手段に搬送されたシートを整合してシート束を形成するシート処理装置において、
前記シート積載手段のシート搬送方向と直交する幅方向側に設けられ、前記シートの幅方向端部の位置を規制する側端規制部材と、
前記シートを前記幅方向に移動させ、前記側端規制部材に当接させる移動手段と、
前記側端規制部材に当接した前記シートを保持する保持手段と、を備え、
前記移動手段は、前記側端規制部材に当接させたシートが前記保持手段により保持された状態で、前記シート積載手段にシートが搬送される毎に該シートを前記幅方向に移動させ、前記側端規制部材に当接させることを特徴とするシート処理装置。
【請求項４】
前記移動手段は、前記シートを前記幅方向の長さに応じた距離だけ前記幅方向に移動させることを特徴とする請求項１乃至３の何れか１項に記載のシート処理装置。
【請求項５】
前記移動手段は、所定の幅方向の長さを有するシートを前記側端規制部材に当接させた後、前記側端規制部材から前記幅方向に前記シートを所定距離だけ離間させることを特徴とする請求項１乃至４の何れか１項に記載のシート処理装置。
【請求項６】
前記シート積載手段に搬送されたシートを整合して形成されたシート束を綴じる綴じ手段を備えたことを特徴とする請求項１乃至５の何れか１項に記載のシート処理装置。
【請求項７】
前記綴じ手段によりシート束を綴じる際、前記移動手段は、前記幅方向の長さが異なるシートの幅方向端部が一致するように前記シート積載手段にシートが搬送される毎に該シートを前記幅方向に移動させ、前記側端規制部材に当接させることを特徴とする請求項６記載のシート処理装置。
【請求項８】
前記綴じ手段を、前記側端規制部材から所定距離だけ離間したシートを綴じる所定の位置まで前記幅方向に移動可能としたことを特徴とする請求項６又は７記載のシート処理装置。
【請求項９】
前記移動手段は、前記搬送されたシートをシート搬送方向と逆方向に搬送し、前記シート積載手段のシート搬送方向上流側端部に設けられ、前記シートのシート搬送方向の位置を規制する側端規制部材に当接させるシート搬送手段と、前記シート搬送手段を前記シートに当接させた状態で前記幅方向に移動させる駆動手段とを備えたものであることを特徴とする請求項１乃至８の何れか１項に記載のシート処理装置。
【請求項１０】
シートに画像を形成する画像形成部を備えた画像形成装置本体と、
前記画像形成部により画像が形成されたシートを処理する請求項１乃至９のいずれか１項に記載のシート処理装置と、
を備えたことを特徴とする画像形成装置。
【請求項１１】
前記シートの幅方向端部、前記シートの中央部、前記シートの任意の位置の何れか１つを検知する検知手段を備え、
前記移動手段は、前記シートの幅方向端部、前記シートの中央部、前記シートの任意の位置の何れか１つと、前記側端規制部材との距離に応じた距離だけ前記シートを前記幅方向に移動させることを特徴とする請求項１０記載の画像形成装置。
【請求項１２】
前記移動手段は、前記画像形成装置本体からの前記シートの幅方向長さ情報に基づいて前記シートを前記幅方向に移動させることを特徴とする請求項１０又は１１記載の画像形成装置。
【請求項１３】
画像形成部からシート積載手段に搬送されたシートを整合してシート束を形成する画像形成装置において、
前記シート積載手段のシート搬送方向と直交する幅方向側に設けられ、前記シートの幅方向端部の位置を規制する側端規制部材と、
シート面に当接して前記シートを前記幅方向に移動させ、前記側端規制部材に当接させる移動手段と、を備えたことを特徴とする画像形成装置。
【請求項１４】
画像形成部からシート積載手段に搬送されたシートを整合してシート束を形成する画像形成装置において、
前記シート積載手段のシート搬送方向と直交する幅方向側に設けられ、前記シートの幅方向端部の位置を規制する側端規制部材と、
前記シートを前記幅方向に移動させ、前記側端規制部材に当接させる移動手段と、
前記側端規制部材に当接した前記シートを保持する保持手段と、を備え、
前記移動手段は、前記側端規制部材に当接させたシートが前記保持手段により保持された状態で、前記シート積載手段にシートが搬送される毎に該シートを前記幅方向に移動させ、前記側端規制部材に当接させることを特徴とする画像形成装置。
【手続補正２】
【補正対象書類名】明細書
【補正対象項目名】００１１
【補正方法】変更
【補正の内容】
【００１１】
本発明は、処理されるシートを積載するシート積載手段を備え、前記シート積載手段に搬送されたシートを整合してシート束を形成するシート処理装置において、前記シート積載手段のシート搬送方向と直交する幅方向側に設けられ、前記シートの幅方向端部の位置を規制する側端規制部材と、シート面に当接して前記シートを前記幅方向に移動させ、前記側端規制部材に当接させる移動手段と、を備えたことを特徴とするものである。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】変更
【補正の内容】
【００１４】
また本発明は、処理されるシートを積載するシート積載手段を備え、前記シート積載手段に搬送されたシートを整合してシート束を形成するシート処理装置において、前記シート積載手段のシート搬送方向と直交する幅方向側に設けられ、前記シートの幅方向端部の位置を規制する側端規制部材と、前記シートを前記幅方向に移動させ、前記側端規制部材に当接させる移動手段と、前記側端規制部材に当接した前記シートを保持する保持手段と、を備え、前記移動手段は、前記側端規制部材に当接させたシートが前記保持手段により保持された状態で、前記シート積載手段にシートが搬送される毎に該シートを前記幅方向に移動させ、前記側端規制部材に当接させることを特徴とするものである。また本発明は、前記移動手段は、所定の幅方向の長さを有するシートを前記側端規制部材に当接させた後、前記側端規制部材から前記幅方向に前記シートを所定距離だけ離間させることを特徴とするものである。
【手続補正５】
【補正対象書類名】明細書
【補正対象項目名】００１５
【補正方法】変更
【補正の内容】
【００１５】
また本発明は、前記移動手段は、前記シートを前記幅方向の長さに応じた距離だけ前記幅方向に移動させることを特徴とするものである。また本発明は、前記シート積載手段に搬送されたシートを整合して形成されたシート束を綴じる綴じ手段を備えたことを特徴とするものである。また本発明は、前記綴じ手段によりシート束を綴じる際、前記移動手段は、前記幅方向の長さが異なるシートの幅方向端部が一致するように前記シート積載手段にシートが搬送される毎に該シートを前記幅方向に移動させ、前記側端規制部材に当接させることを特徴とするものである。また本発明は、前記綴じ手段を、前記側端規制部材から所定距離だけ離間したシートを綴じる所定の位置まで前記幅方向に移動可能としたことを特徴とするものである。
【手続補正６】
【補正対象書類名】明細書
【補正対象項目名】００２０
【補正方法】変更
【補正の内容】
【００２０】
また本発明は、画像形成部からシート積載手段に搬送されたシートを整合してシート束を形成する画像形成装置において、前記シート積載手段のシート搬送方向と直交する幅方向側に設けられ、前記シートの幅方向端部の位置を規制する側端規制部材と、シート面に当接して前記シートを前記幅方向に移動させ、前記側端規制部材に当接させる移動手段と、を備えたことを特徴とするものである。また本発明は、画像形成部からシート積載手段に搬送されたシートを整合してシート束を形成する画像形成装置において、前記シート積載手段のシート搬送方向と直交する幅方向側に設けられ、前記シートの幅方向端部の位置を規制する側端規制部材と、前記シートを前記幅方向に移動させ、前記側端規制部材に当接させる移動手段と、前記側端規制部材に当接した前記シートを保持する保持手段と、を備え、前記移動手段は、前記側端規制部材に当接させたシートが前記保持手段により保持された状態で、前記シート積載手段にシートが搬送される毎に該シートを前記幅方向に移動させ、前記側端規制部材に当接させることを特徴とするものである。